(57)【要約】【課題】ヒンジ部の近傍部分の変形をより一層抑えることができる圧力式炊飯器を提供する。【解決手段】本発明に係る圧力式炊飯器は、炊飯器本体と、上方開口部から外方に突出するフランジ部を有する鍋と、鍋の外周面に対して隙間を空けて対向するように設けられた保護枠と、平面視において保護枠の上方開口部と炊飯器本体の上方開口部との間を覆うように設けられた上枠と、上枠の上方に配置されたヒンジ部と、ヒンジ部に回動自在に取り付けられ、当該ヒンジ部を中心として回動することにより、鍋の上方開口部を開閉自在に覆う蓋体と、ヒンジ部を補強するヒンジ補強部材とを備え、ヒンジ補強部材は、ヒンジ部に接続されるヒンジ接続部と、フランジ部の下面に直接又は間接的に接触して鍋を支持する鍋支持部と、ヒンジ部の下方から上枠に沿って鍋のフランジ部の下方まで延在し、ヒンジ接続部と鍋支持部とを連結する連結部とを備える。【選択図】図９
2019063235.tif 000002
【特許請求の範囲】
【請求項１】
有底筒状の炊飯器本体と、
上方開口部から外方に突出するフランジ部を有する有底筒状の鍋と、
前記炊飯器本体の内部に設けられ、前記鍋の外周面に対して隙間を空けて対向するように設けられた有底筒状の保護枠と、
平面視において前記保護枠の上方開口部と前記炊飯器本体の上方開口部との間を覆うように設けられた上枠と、
前記上枠の上方に配置されたヒンジ部と、
前記ヒンジ部に回動自在に取り付けられ、当該ヒンジ部を中心として回動することにより、前記保護枠の内側に配置された前記鍋の上方開口部を開閉自在に覆う蓋体と、
前記ヒンジ部に接続されたヒンジ補強部材と、
を備え、前記鍋内を加圧状態して炊飯を行う圧力式炊飯器であって、
前記ヒンジ補強部材は、
前記ヒンジ部に接続されるヒンジ接続部と、
前記フランジ部の下面に直接又は間接的に接触して前記鍋を支持する鍋支持部と、
前記ヒンジ部の下方から前記上枠に沿って前記フランジ部の下方まで延在し、前記ヒンジ接続部と前記鍋支持部とを連結する連結部と、
を備える、圧力式炊飯器。
【請求項２】
前記ヒンジ補強部材は、複数の前記鍋支持部を備えている、請求項１に記載の圧力式炊飯器。
【請求項３】
前記ヒンジ補強部材の鍋支持部と前記鍋のフランジ部との間に配置される弾性部材を更に備える、請求項１又は２に記載の圧力式炊飯器。
【請求項４】
前記ヒンジ補強部材の鍋支持部は、前記鍋の荷重を面で受ける座面を有する、請求項１〜３のいずれか１つに記載の圧力式炊飯器。
【請求項５】
前記ヒンジ補強部材の連結部は、前記ヒンジ部の下方から前記鍋のフランジ部の下方まで延在する断面Ｕ字状の梁部を有する、請求項１〜４のいずれか１つに記載の圧力式炊飯器。
【請求項６】
前記上枠の下方に配置されて当該上枠を補強する上枠補強部材を更に備え、
前記ヒンジ補強部材は、前記上枠補強部材に取り付けられている、
請求項１〜５のいずれか１つに記載の圧力式炊飯器。
【発明の詳細な説明】
【技術分野】
【０００１】
本発明は、鍋内を加圧状態にして炊飯を行う圧力式炊飯器に関する。
【背景技術】
【０００２】
炊飯器は、一般に、鍋の上方開口部を開閉自在に覆う蓋体を備えている。通常、この蓋体の一端部は、ヒンジ部に回動自在に取り付けられ、ヒンジ部を中心として回動することにより鍋の上方開口部を開閉自在に覆うように構成されている。
【０００３】
この構成では、蓋体が回動する際の遠心力により、ヒンジ部の近傍部分に大きな負荷がかかる。当該負荷によりヒンジ部の近傍部分が変形することが起こり得る。
【０００４】
このため、例えば、特許文献１（特開２００６−２５８６１号公報）に開示された炊飯器のように、ヒンジ部に金属製の補強板を設けて、ヒンジ部の近傍部分の変形を抑えるように構成された炊飯器が知られている。
【先行技術文献】
【特許文献】
【０００５】
【特許文献１】特開２００６−２５８６１号公報
【発明の概要】
【発明が解決しようとする課題】
【０００６】
しかしながら、従来の構成を圧力式炊飯器に適用すると、ヒンジ部の近傍部分の変形を十分に抑えることができないことが起こり得る。従来の構成は、この観点において未だ改善の余地がある。
【０００７】
従って、本発明の目的は、前記課題を解決することにあって、ヒンジ部の近傍部分の変形をより一層抑えることができる圧力式炊飯器を提供することにある。
【課題を解決するための手段】
【０００８】
前記目的を達成するために、本発明に係る圧力式炊飯器は、有底筒状の炊飯器本体と、
上方開口部から外方に突出するフランジ部を有する有底筒状の鍋と、
前記炊飯器本体の内部に設けられ、前記鍋の外周面に対して隙間を空けて対向するように設けられた有底筒状の保護枠と、
平面視において前記保護枠の上方開口部と前記炊飯器本体の上方開口部との間を覆うように設けられた上枠と、
前記上枠の上方に配置されたヒンジ部と、
前記ヒンジ部に回動自在に取り付けられ、当該ヒンジ部を中心として回動することにより、前記保護枠の内側に配置された前記鍋の上方開口部を開閉自在に覆う蓋体と、
前記ヒンジ部に接続されたヒンジ補強部材と、
を備え、前記鍋内を加圧状態して炊飯を行う圧力式炊飯器であって、
前記ヒンジ補強部材は、
前記ヒンジ部に接続されるヒンジ接続部と、
前記フランジ部の下面に直接又は間接的に接触して前記鍋を支持する鍋支持部と、
前記ヒンジ部の下方から前記上枠に沿って前記フランジ部の下方まで延在し、前記ヒンジ接続部と前記鍋支持部とを連結する連結部と、
を備える、ように構成されている。
【発明の効果】
【０００９】
本発明に係る圧力式炊飯器によれば、ヒンジ部の近傍部分の変形をより一層抑えることができる。
【図面の簡単な説明】
【００１０】
【図１】本発明の実施形態に係る圧力式炊飯器を前方斜め上方から見た斜視図である。
【図２】図１の圧力式炊飯器の断面図である。
【図３】図１の圧力式炊飯器において蓋体及び鍋を取り外した状態を示す平面図である。
【図４】鍋収納部に関連する部品を後方斜め上方から見た斜視図である。
【図５】図４に示す部品から保護枠を取り外した状態を後方斜め下方から見た斜視図である。
【図６】図５に示す部品の分解斜視図である。
【図７】ヒンジ補強部材が上枠補強部材に取り付けられた状態を前方斜め上方から見た斜視図である。
【図８Ａ】ヒンジ補強部材を前方斜め上方から見た斜視図である。
【図８Ｂ】ヒンジ補強部材を後方斜め上方から見た斜視図である。
【図９】炊飯工程中において、蓋体、鍋、及びヒンジ部にかかる上下方向の圧力を示す概略断面図である。
【図１０Ａ】第１変形例に係るヒンジ補強部材を前方斜め上方から見た斜視図である。
【図１０Ｂ】第１変形例に係るヒンジ補強部材を後方斜め上方から見た斜視図である。
【図１１Ａ】第２変形例に係るヒンジ補強部材を前方斜め上方から見た斜視図である。
【図１１Ｂ】第２変形例に係るヒンジ補強部材を後方斜め上方から見た斜視図である。
【発明を実施するための形態】
【００１１】
（本発明の基礎となった知見）
本発明者らは、ヒンジ部の近傍部分の変形をより一層抑えるために鋭意検討した結果、以下の知見を得た。
【００１２】
圧力式炊飯器は、鍋内を加圧状態にして炊飯を行うものである。圧力式炊飯器においては、鍋内の圧力が大気圧よりも高くなるため、鍋の上方に位置する蓋体の部分が持ち上げられるように強い圧力がかかる。このとき、蓋体が取り付けられるヒンジ部に上向きの力がかかり、ヒンジ部の近傍部分が変形し易くなる。
【００１３】
ヒンジ部の近傍部分の変形を抑えるためには、単純には、変形し得る部分に別途補強部材を設けることが考えられる。しかしながら、この場合、補強部材が大型化することになり、製造コストの増大の原因になり得る。また、補強部材を設置するために広いスペースが必要になるため、設計の自由度が制限されることになる。
【００１４】
一方、鍋内の圧力が大気圧よりも高くなると、鍋を押し下げる下向きの力も発生する。本発明者らは、鋭意検討した結果、ヒンジ部に接続されるヒンジ補強部材を、鍋のフランジ部の下方まで延伸させ、当該フランジ部の下面に直接又は間接的に接触させる構成を見出した。この構成によれば、鍋にかかる下向きの力をヒンジ補強部材で受け、当該ヒンジ補強部材を介して当該下向きの力をヒンジ部に作用させることで、ヒンジ部にかかる上向きの力を低減することができる。その結果、ヒンジ部の近傍部分の変形を抑えることができる。また、この構成によれば、補強部材の大型化を抑えることができ、補強部材の軽量化、構造の簡素化、製造コストの削減、設置スペースの低減による設計の自由度の向上等を図ることができる。この新規な知見に基づき、本発明者らは以下の発明に至った。
【００１５】
本発明の第１態様によれば、有底筒状の炊飯器本体と、
上方開口部から外方に突出するフランジ部を有する有底筒状の鍋と、
前記炊飯器本体の内部に設けられ、前記鍋の外周面に対して隙間を空けて対向するように設けられた有底筒状の保護枠と、
平面視において前記保護枠の上方開口部と前記炊飯器本体の上方開口部との間を覆うように設けられた上枠と、
前記上枠の上方に配置されたヒンジ部と、
前記ヒンジ部に回動自在に取り付けられ、当該ヒンジ部を中心として回動することにより、前記保護枠の内側に配置された前記鍋の上方開口部を開閉自在に覆う蓋体と、
前記ヒンジ部に接続されたヒンジ補強部材と、
を備え、前記鍋内を加圧状態して炊飯を行う圧力式炊飯器であって、
前記ヒンジ補強部材は、
前記ヒンジ部に接続されるヒンジ接続部と、
前記フランジ部の下面に直接又は間接的に接触して前記鍋を支持する鍋支持部と、
前記ヒンジ部の下方から前記上枠に沿って前記フランジ部の下方まで延在し、前記ヒンジ接続部と前記鍋支持部とを連結する連結部と、
を備える、圧力式炊飯器を提供する。
【００１６】
本発明の第２態様によれば、前記ヒンジ補強部材は、複数の前記鍋支持部を備えている、第１態様に記載の圧力式炊飯器を提供する。
【００１７】
本発明の第３態様によれば、前記ヒンジ補強部材の鍋支持部と前記鍋のフランジ部との間に配置される弾性部材を更に備える、第１又は２態様に記載の圧力式炊飯器を提供する。
【００１８】
本発明の第４態様によれば、前記ヒンジ補強部材の鍋支持部は、前記鍋の荷重を面で受ける座面を有する、第１〜３態様のいずれか１つに記載の圧力式炊飯器を提供する。
【００１９】
本発明の第５態様によれば、前記ヒンジ補強部材の連結部は、前記ヒンジ部の下方から前記鍋のフランジ部の下方まで延在する断面Ｕ字状の梁部を有する、第１〜４態様のいずれか１つに記載の圧力式炊飯器を提供する。
【００２０】
本発明の第６態様によれば、前記上枠の下方に配置されて当該上枠を補強する上枠補強部材を更に備え、前記ヒンジ補強部材は、前記上枠補強部材に取り付けられている、第１〜５態様のいずれか１つに記載の圧力式炊飯器を提供する。
【００２１】
以下、本発明の実施の形態について、図面を参照しながら説明する。なお、この実施形態によって本発明が限定されるものではない。
【００２２】
また、以下では、説明の便宜上、「上」、「下」、「前」、「後」等の方向を示す用語を用いている。しかしながら、これらの用語は、本発明の圧力式炊飯器の使用状態等を限定することを意味するものではない。
【００２３】
《実施形態》
図１及び図２を参照しつつ、本発明の実施形態に係る圧力式炊飯器について説明する。図１は、本発明の実施形態に係る圧力式炊飯器を前方斜め上方から見た斜視図である。図２は、図１の圧力式炊飯器の断面図である。本実施形態に係る圧力式炊飯器は、炊飯時に鍋内の圧力を大気圧以上の加圧状態（例えば、１．２気圧以上）にして炊飯する圧力式炊飯器である。
【００２４】
図１及び図２に示すように、本実施形態に係る圧力式炊飯器は、有底筒状の炊飯器本体１と、炊飯器本体１の上方開口部を開閉自在に覆う蓋体２とを備えている。
【００２５】
蓋体２の上面には、炊飯コース、炊飯時間などの各種情報を表示する液晶ディスプレイなどの表示部３と、白米コースや玄米コース、白米（柔らかめ）コースなどの複数の炊飯コースの中から特定の炊飯コースを選択可能な操作部４とが設けられている。操作部４は、炊飯コースの選択の他、炊飯の開始、取り消し、予約などの実行を指示できるように、炊飯開始ボタンなどの複数のボタンで構成されている。ユーザは、表示部３の表示内容を参照しつつ、操作部４にて特定の炊飯コースを選択し、炊飯開始を指示することができる。
【００２６】
また、蓋体２の上面には、炊飯器本体１の内部に収納される鍋５内の空間と連通し、当該空間から発生する蒸気を外部に放出するための蒸気筒６が設けられている。鍋５には、米と水とを含む調理物が入れられる。
【００２７】
蓋体２は、図２に示すように、炊飯器本体１の上方後部（図２の左上側）に配置されたヒンジ部Ｈ１に回動自在に取り付けられ、当該ヒンジ部Ｈ１を中心として回動することにより、鍋５の上方開口部を開閉自在に覆うように構成されている。蓋体２は、外蓋２Ａと、当該外蓋２Ａに対して着脱自在に取り付けられる内蓋２Ｂとを備えている。鍋５は、上方開口部から外方に突出するように設けられた環状のフランジ部５ａを有している。蓋体２の内蓋２Ｂには、フランジ部５ａに対応する位置に環状のパッキン７が設けられている。蓋体２が閉位置（図２に示す位置）に位置するとき、パッキン７によって鍋５のフランジ部５ａと蓋体２の内蓋２Ｂとの隙間が塞がれる。
【００２８】
また、蓋体２は、炊飯器本体１の上方前部（図２の右上側）に係合可能に構成されている。蓋体２は、図１に示すように蓋体２の上方前部に設けられた開ボタン８が押圧されることで、炊飯器本体１の上方前部との係合が解除され、鍋５の上方開口部を開放するようにヒンジ部Ｈ１を中心として回動する。
【００２９】
蓋体２の内部には、蒸気筒６に繋がる連通路（図示せず）を開閉することにより、鍋５内の圧力を調整する圧力調整機構９が設けられている。圧力調整機構９については公知の構造であるので、ここでは説明を省略する。
【００３０】
炊飯器本体１の内部には、図２に示すように、鍋５を着脱自在に収納する有底筒状の鍋収納部１０が形成されている。鍋収納部１０は、保護枠（コイルベースともいう）１１と上枠１２とで構成されている。
【００３１】
保護枠１１は、鍋５を収納する部分であり、鍋５の形状に対応して有底筒状に形成されている。また、保護枠１１は、鍋５の外周面に対して隙間を空けて対向するように、鍋５よりも少し大きく形成されている。また、保護枠１１は、耐熱性を有する樹脂で構成され、上枠１２よりも高剛性を有する部材である。上枠１２は、上枠補強部材１３によって下方から補強されている。上枠補強部材１３は、上枠１２よりも剛性が高い金属材料で構成されている。上枠補強部材１３は、上枠１２の略全体を補強するように構成されている。
【００３２】
保護枠１１の外周面には、鍋５の外周面と対向するように配置されて鍋５を誘導加熱する鍋加熱装置１４が配置されている。鍋加熱装置１４は、リング状の底内コイル１４ａと、リング状の底外コイル１４ｂとを備えている。底内コイル１４ａは、保護枠１１を介して鍋５の底部の中央部周囲に対向するように配置されている。底外コイル１４ｂは、保護枠１１を介して鍋５の側底部（コーナー部）と対向するように配置されている。
【００３３】
保護枠１１の底部の中央部分には、開口部１１ｂが設けられている。開口部１１ｂには、鍋５の温度を測定するための鍋温度センサ１５が、鍋収納部１０に収納された鍋５の底部に当接可能に配置される。鍋５の温度は鍋５内の調理物の温度と略同じであるので、鍋温度センサ１５が鍋５の温度を検知することで、鍋５内の調理物の温度を検知することができる。
【００３４】
炊飯器本体１と鍋収納部１０とで囲まれた空間には、図２に示すように、鍋加熱装置１４の加熱動作を制御する制御装置１６が設けられている。制御装置１６は、操作部４に入力された情報と鍋温度センサ１５の検知温度とに基づいて、鍋加熱装置１４の加熱量（通電率、加熱温度、加熱時間、又は加熱出力）を制御し、炊飯工程を行う。また、制御装置１６は、別途設けられた計時部（図示せず）により炊飯工程中の各工程（予熱、昇温、沸騰維持、蒸らし）の所要時間も制御する。
【００３５】
図３は、本実施形態に係る圧力式炊飯器において蓋体２及び鍋５を取り外した状態を示す平面図である。
【００３６】
図３に示すように、上枠１２は、環状に形成され、炊飯器本体１の上方開口部を形成する上端部１ａから内方へ向かう平面を有するように形成されている。上枠１２の内周部１２ａは、保護枠１１の上端部１１ａに取り付けられている。すなわち、上枠１２は、図３に示すように、平面視において保護枠１１の上方開口部と炊飯器本体１の上方開口部との間を覆うように設けられている。
【００３７】
上枠１２の内周部１２ａには、弾性部材の一例である複数の上枠キャップ１７が互いに間隔を空けて取り付けられている。本実施形態においては、４つの上枠キャップ１７が平面視において左右対称に配置されている。各上枠キャップ１７は、弾性を有する樹脂材料で構成されている。
【００３８】
図４は、鍋収納部１０に関連する部品を後方斜め上方から見た斜視図である。図５は、図４に示す部品から保護枠１１を取り外した状態を後方斜め下方から見た斜視図である。図６は、図５に示す部品の分解斜視図である。
【００３９】
図４〜図６に示すように、各上枠キャップ１７は、軸部１７ａと、軸部１７ａの一端部に接続され、軸部１７ａよりもサイズが大きい頭部１７ｂとを備えている。各上枠キャップ１７は、軸部１７ａが上枠１２の内周部１２ａを貫通し、頭部１７ｂが上枠１２の内周部１２ａの上面に突出するように取り付けられる。各上枠キャップ１７の頭部１７ｂに鍋５のフランジ部５ａが載置されることで、鍋５が懸架される。このとき、鍋５の底部は、保護枠１１の内側底面とは接触せず、鍋温度センサ１５に接触する。鍋５のフランジ部５ａは、鍋５の上方開口部から外方に突出するように設けられている。
【００４０】
図５及び図６に示すように、上枠１２の内周部１２ａの周囲には、複数のボス１２ｂが下方に突出するように設けられている。本実施形態においては、６つのボス１２ｂが分散して配置されている。上枠補強部材１３には、複数のボス１２ｂに対応する位置に貫通穴１３ａが設けられている。上枠１２と上枠補強部材１３とは、各ボス１２ｂが貫通穴１３ａを貫通するように配置された状態で、ネジ等の複数の固定部材１８によって互いに固定されている。また、上枠１２と上枠補強部材１３とは、各ボス１２ｂが保護枠１１に設けられた挿入穴（図示せず）に挿入されてネジ等の固定部材（図示せず）で固定されることで、保護枠１１に取り付けられる。
【００４１】
図４に示すように、上枠１２の上方後部（図４の左下側）には、ヒンジ部Ｈ１が配置されている。本実施形態において、ヒンジ部Ｈ１は、上枠１２の上方後部から上方へ突出し、蓋体２に設けられたヒンジ軸２Ｃを回動自在に保持するように構成されている。ヒンジ部Ｈ１は、樹脂により上枠１２と一体的に構成されている。なお、ヒンジ部Ｈ１は、上枠１２と別体であってもよい。
【００４２】
ヒンジ部Ｈ１には、ヒンジ部Ｈ１を補強するヒンジ補強部材２１が取り付けられている。ヒンジ補強部材２１は、ヒンジ部Ｈ１よりも剛性が高い金属材料で構成されている。本実施形態において、ヒンジ補強部材２１は、所定の形状に打ち抜き、切断等した金属板を複数回折り曲げ加工して構成されている。
【００４３】
図７は、ヒンジ補強部材２１が上枠補強部材１３に取り付けられた状態を前方斜め上方から見た斜視図である。図８Ａは、ヒンジ補強部材２１を前方斜め上方から見た斜視図である。図８Ｂは、ヒンジ補強部材２１を後方斜め上方から見た斜視図である。
【００４４】
図７に示すように、ヒンジ補強部材２１は、ネジ等の複数の固定部材１９により上枠補強部材１３に取り付けられている。上枠補強部材１３が上枠１２に取り付けられた際、ヒンジ補強部材２１は、上枠補強部材１３と上枠１２との間に位置する。
【００４５】
ヒンジ補強部材２１は、ヒンジ接続部２２と、鍋支持部２３と、連結部２４とを備えている。
【００４６】
ヒンジ接続部２２は、ヒンジ部Ｈ１に接続される部分である。ヒンジ接続部２２は、縦板部２２ａと、縦板部２２ａを介して対向するように設けられ、ヒンジ軸２Ｃに係合するように構成された一対のフック部２２ｂを有している。縦板部２２ａとフック部２２ｂとは、接続部２２ｃによって接続されている。縦板部２２ａ及び接続部２２ｃは、ヒンジ軸２Ｃに対して平行な鉛直面上に配置される。フック部２２ｂは、ヒンジ軸２Ｃに対して直交する鉛直面上に配置される。接続部２２ｃとフック部２２ｂとは、一体に構成されている。
【００４７】
鍋支持部２３は、フランジ部５ａの下面に上枠キャップ１７を介して間接的に接触して、鍋５を支持する部分である。本実施形態において、ヒンジ補強部材２１は、２つの鍋支持部２３を備えている。鍋支持部２３は、箱状に形成され、鍋５の荷重を面で受ける座面２３ａを備えている。座面２３ａには、上枠キャップ１７の軸部１７ａが挿入される切欠部２３ｂが設けられている。
【００４８】
連結部２４は、ヒンジ部Ｈ１の下方から上枠１２に沿って鍋５のフランジ部５ａの下方まで延在し、ヒンジ接続部２２と鍋支持部２３とを接続する部分である。連結部２４は、上枠補強部材１３に沿って取り付けられる横板部２４ａと、横板部２４ａを介して互いに横方向に対向する一対の縦板部２４ｂとを備えている。一対の縦板部２４ｂは、それぞれの前後方向の両端部がフック部２２ｂと鍋支持部２３の側壁２３ｃとに接続されている。
【００４９】
図９は、炊飯工程中において、蓋体２、鍋５、及びヒンジ部Ｈ１にかかる上下方向の圧力を示す概略断面図である。なお、図９においては、蓋体２、鍋５のフランジ部５ａ、ヒンジ部Ｈ１、及びヒンジ補強部材２１の位置関係の理解を容易にするため、点線ＤＬを境界として切断面を異ならせている。また、蓋体２は、フレーム部分のみ図示し、全体の記載は省略している。
【００５０】
図９に示すように、炊飯工程中において、鍋５内には、鍋５の中心部から放射方向に、大気圧以上（例えば、２．０気圧）の圧力が発生する。このとき、鍋５の上部が開口しているので、鍋５の上方に位置する蓋体２の部分が持ち上げられるように強い圧力Ｐ１がかかる。これにより、蓋体２が取り付けられるヒンジ部Ｈ１に上向きの力Ｐ２がかかる。一方、鍋５には、押し下げられるように強い圧力Ｐ３がかかる。これにより、鍋５のフランジ部５ａには、下向きの力Ｐ４がかかる。
【００５１】
本実施形態に係る圧力式炊飯器によれば、ヒンジ補強部材２１が、鍋５のフランジ部５ａの下方まで延在し、当該フランジ部５ａの下面に上枠キャップ１７を介して接触して鍋を支持する鍋支持部２３を備えている。この構成によれば、鍋５のフランジ部５ａにかかる下向きの力をヒンジ補強部材２１で受け、当該ヒンジ補強部材２１を介して当該下向きの力をヒンジ部Ｈ１に作用させることで、ヒンジ部Ｈ１にかかる上向きの力を低減することができる。その結果、ヒンジ部Ｈ１の近傍部分の変形を抑えることができる。また、この構成によれば、補強部材の大型化を抑えることができ、補強部材の軽量化、構造の簡素化、製造コストの削減、設置スペースの低減による設計の自由度の向上等を図ることができる。
【００５２】
また、本実施形態に係る圧力式炊飯器によれば、ヒンジ補強部材２１は、複数の鍋支持部２３を備えている。この構成によれば、ヒンジ補強部材２１が鍋５のフランジ部５ａの複数箇所で接触することで、１つの鍋支持部２３にかかる負荷を低減することができる。
【００５３】
また、本実施形態に係る圧力式炊飯器によれば、ヒンジ補強部材２１の鍋支持部２３と鍋５のフランジ部５ａとの間に配置される上枠キャップ１７を備えている。この構成によれば、例えば、ヒンジ補強部材２１の鍋支持部２３と鍋５のフランジ部５ａとが接触することによって金属の削り粉が発生するようなことを抑えることができる。
【００５４】
また、本実施形態に係る圧力式炊飯器によれば、ヒンジ補強部材２１の鍋支持部２３は、鍋５の荷重を面で受ける座面２３ａを有している。この構成によれば、鍋５の荷重を点又は線で受ける構成よりも、鍋支持部２３にかかる負荷を分散させることができる。
【００５５】
また、本実施形態に係る圧力式炊飯器によれば、上枠１２の下方に配置されて当該上枠１２を補強する上枠補強部材１３を備え、ヒンジ補強部材２１は上枠補強部材１３に取り付けられている。この構成によれば、上枠補強部材１３によってヒンジ補強部材２１の変形を抑えることができ、ヒンジ部Ｈ１の近傍部分の変形を一層抑えることができる。
【００５６】
なお、ヒンジ補強部材２１において、ヒンジ接続部２２と鍋支持部２３との距離は小さいことが好ましい。これにより、ヒンジ補強部材２１にかかるモーメント力を小さくすることができ、鍋５のフランジ部５ａにかかる下向きの力Ｐ４を、より確実にヒンジ部Ｈ１に作用させることができる。
【００５７】
なお、本発明は前記実施形態に限定されるものではなく、その他種々の態様で実施できる。例えば、前記では、ヒンジ補強部材２１において、鍋支持部２３の座面２３ａと連結部２４の横板部２４ａとの間には上下方向に段差があるものとしたが、本発明はこれに限定されない。例えば、図１０Ａ及び図１０Ｂに示すように、ヒンジ補強部材２１の連結部２４がヒンジ部Ｈ１の下方から鍋５のフランジ部５ａの下方まで延在する断面Ｕ字状の梁部２４ｃを有し、当該梁部２４ｃの先端部が鍋支持部２３の座面２３ａとして構成されてもよい。この構成によれば、ヒンジ補強部材２１の変形を一層抑えることができる。
【００５８】
また、前記では、ヒンジ補強部材２１の鍋支持部２３は、座面２３ａの切欠部２３ｂに挿入された上枠キャップ１７を介して間接的に鍋５のフランジ部５ａと接触するものとしたが、本発明はこれに限定されない。例えば、図１１Ａ及び図１１Ｂに示すように、鍋支持部２３は、座面２３ａ及び切欠部２３ｂに代えて、梁部２４ｃの先端部から上方向に突出する平板状の爪部２３ｄを備え、当該爪部２３ｄの上端部で鍋５のフランジ部５ａと直接的に線接触するように構成されてもよい。この構成によれば、梁部２４ｃの一部を折り曲げ加工するなどして、容易に爪部２３ｄを形成することができる。
【００５９】
また、前記では、蓋体２がヒンジ軸２Ｃを備え、炊飯器本体１の上方後部に設けたヒンジ部Ｈ１がヒンジ軸２Ｃを回動自在に保持するように構成したが、本発明はこれに限定されない。例えば、ヒンジ部Ｈ１がヒンジ軸を備え、蓋体２が当該ヒンジ軸を回動自在に保持するように構成されてもよい。
【産業上の利用可能性】
【００６０】
本発明に係る圧力式炊飯器は、ヒンジ部の近傍部分の変形をより一層抑えることができるので、家庭用の炊飯器のみならず、業務用の炊飯器などにも有用である。
【符号の説明】
【００６１】
１    炊飯器本体
１ａ  上端部
２    蓋体
２Ａ  外蓋
２Ｂ  内蓋
２Ｃ  ヒンジ軸
３    表示部
４    操作部
５    鍋
５ａ  フランジ部
６    蒸気筒
７    パッキン
８    開ボタン
９    圧力調整機構
１０    鍋収納部
１１    保護枠
１１ａ  上端部
１１ｂ  開口部
１２    上枠
１２ａ  内周部
１２ｂ  ボス
１３    上枠補強部材
１３ａ  貫通穴
１４    鍋加熱装置
１４ａ  底内コイル
１４ｂ  底外コイル
１５    鍋温度センサ
１６    制御装置
１７    上枠キャップ
１７ａ  軸部
１７ｂ  頭部
１８,１９    固定部材
２１    ヒンジ補強部材
２２    ヒンジ接続部
２２ａ  縦板部
２２ｂ  フック部
２２ｃ  接続部
２３    鍋支持部
２３ａ  座面
２３ｂ  切欠部
２３ｃ  側壁
２３ｄ  爪部
２４    連結部
２４ａ  横板部
２４ｂ  縦板部
２４ｃ  梁部
【図１】
2019063235.tif 000003
【図２】
2019063235.tif 000004
【図３】
2019063235.tif 000005
【図４】
2019063235.tif 000006
【図５】
2019063235.tif 000007
【図６】
2019063235.tif 000008
【図７】
2019063235.tif 000009
【図８Ａ】
2019063235.tif 000010
【図８Ｂ】
2019063235.tif 000011
【図９】
2019063235.tif 000012
【図１０Ａ】
2019063235.tif 000013
【図１０Ｂ】
2019063235.tif 000014
【図１１Ａ】
2019063235.tif 000015
【図１１Ｂ】
2019063235.tif 000016